(57)【要約】【課題】ほぼ同様な内容の録画データに識別しやすいファイル名を割り付け、大量の録画データの中から関連する録画データを容易に検索できるようにする。また、録画データの要・不要の判断を容易とし、大容量の記憶媒体の効率的利用を可能とした録画データ処理装置および録画データ処理方法を提供する。【解決手段】新しく録画して得た録画データと、過去に特定のファイル名をつけた録画ファイルへ格納した録画データとを比較し、ほぼ同様の録画データが検出されたとき、新しく録画した録画データを管理するファイル名のヘッダ部を、過去に特定のファイル名を付けた録画ファイルと同じとして、その後に日付け又はバージョン情報を付与したファイル名を自動的に割り付ける。【選択図】　　　　図１
2004064402.tif 000002
【特許請求の範囲】
【請求項１】
新しく録画して得た録画データと、
過去に特定のファイル名を付けた録画ファイルへ格納した録画データと、
前記新しく録画して得た録画データと、前記過去に特定のファイル名を付けた録画ファイルへ格納した録画データとを比較する録画データ比較手段と、
前記録画データ比較手段によりほぼ同様の録画データが検出されたとき、前記新しく録画した録画データを管理するファイル名のヘッダ部を、前記過去に特定のファイル名を付けた録画ファイルと同じにしてファイル名を自動的に割り付けるファイル・フォルダ管理手段と、
を備えたことを特徴とする録画データ処理装置。
【請求項２】
新しく録画して得た録画データと、過去に特定のファイル名を付けた録画ファイルへ格納した録画データとを比較し、ほぼ同様の録画データが検出されたとき、前記新しく録画した録画データを管理するファイル名のヘッダ部を、過去に特定のファイル名を付けた録画ファイルと同じとしてその後に日付け又はバージョン情報を付与したファイル名を自動的に割り付けることを特徴とする録画データ処理方法。
【請求項３】
前記録画データ比較手段は、新たな録画を開始してから一定の時間以内、あるいは録画時間内である決められた範囲内の録画データのみを比較対照とするように構成したことを特徴とする請求項１記載の録画データ処理装置。
【請求項４】
前記ファイル・フォルダ管理手段は、前記録画データ比較手段によりほぼ同様の録画データが検出されたとき、前記新しく録画した録画データを管理するファイル名のヘッダ部を、前記過去に特定のファイル名を付けた録画ファイルと同じにしてその後に日付け又はバージョン情報を付与したファイル名を自動的に割り付けるように構成したことを特徴とする請求項１記載の録画データ処理装置。
【請求項５】
前記新しく録画した録画データのファイルの保管場所を、過去に特定のファイル名を付けた録画ファイルと同じフォルダ内で、記憶順に並べて管理するように構成したことを特徴とする請求項１記載の録画データ処理装置。
【請求項６】
前記ファイル・フォルダ管理手段は、地上波デジタル放送番組の録画データの場合、電子番組ガイド（ＥＰＧ）データにもとづき、録画データのファイル名やファイル保管場所の特定をするように構成したことを特徴とする請求項１記載の録画データ処理装置。
【請求項７】
関連付けられた複数の録画ファイルにおける同一の録画部分を、この関連付けられた複数のファイルを格納するフォルダのアイコンとして用いたことを特徴とする請求項１記載の録画データ処理装置。
【発明の詳細な説明】
【０００１】
【発明の属する技術分野】
この発明は、テレビ放送番組の録画データ処理装置および録画データ処理方法に関するものである。
【０００２】
【従来の技術】
従来のＶＴＲに代るランダムアクセス可能な大容量の光ディスクを記憶媒体とした映像データ録画再生装置が家庭用として提供され、一般ユーザーにおいても、連続で大量の録画を行うことができる環境が整いつつある。また、これらの新しい機器を家庭内ネットワークに接続して相互に連携した便利な使い方が紹介されるようになってきた。このような録画時間を意識しないで任意に大量に録画することが可能な環境の中、ただ漫然と録画を行っても、後で録画した内容を再生視聴する場合に、大量の録画済映像データの中から、見たい映像を探し出すことは大変な労力を必要とする。
【０００３】
また、従来、テレビ放送番組を予約する場合、例えば、テレビ画面上に表示される操作画面を見ながら、リモコンで録画予約操作を行っていた。このリモコンによる録画予約操作指示としては、録画時間の開始、終了、曜日、チャンネル番号などの入力操作を行っていた。この録画予約の際、録画するデータを管理するファイル名は、ユーザーがその都度、識別しやすいファイル名を入力していた。この録画予約という機能は、便利であるにもかかわらず、このような項目を１つ１つ入力する必要があるため、その手間は大きなものであり、ユーザーにとっては、面倒で使いにくい機能であるという印象をもたれやすい状況にある。
【０００４】
一方、ユーザーがファイル名を入力しない場合は、ほとんど意味のない文字列のファイル名が自動的に割り当てられ、そのファイル内に録画データが格納されていた。この結果、自動的に付与されたあまり意味のないファイル名からの検索は極めて困難であるため、大量の録画データのなかから希望する録画データを探し出すのは大変な労力を必要とする。したがって、一般ユーザーからは、大量の録画データの中から、簡単な操作により、ユーザーが感心を持って再視聴したいと思っている録画済放送番組をまとめて容易に探し出すことができる仕組みの機器が強く望まれている。
【０００５】
【発明が解決しょうとする課題】
従来のテレビ放送番組の録画データ処理装置は、テレビ放送番組を時間、曜日、チャンネル番号などを指定して録画した場合、録画されたデータのファイル名は、ユーザーがその都度入力しない限り、任意のファイル名が自動的に割り当てられることになる。したがって、大量の録画を行った場合、ユーザーが希望する録画データを探し出す作業が必要になる。また、録画データの整理がなされていないので、録画データの中で必要なデータと、不要なデータの識別が困難であり、記憶媒体の効率的利用ができないという問題点があった。
【０００６】
この発明は、従来の技術の有するこのような問題点に鑑みてなされたものであり、その目的とするところは、ほぼ同様の内容の録画データに識別しやすいファイル名を割り付け、関連する録画データを容易に検索できるようにする。また、同一のフォルダ内で記憶された順に格納することができ、録画データの整理が容易で、録画データの要・不要の判断をしやすくし、大容量の記憶媒体の効率的利用を可能にした録画データ処理装置および録画データ処理方法を提供しようとするものである。
【０００７】
【課題を解決するための手段】
上記の目的を達成するために、この発明の録画データ処理装置は、新しく録画して得た録画データと、
過去に特定のファイル名を付けた録画ファイルへ格納した録画データと、
新しく録画して得た録画データと、前記過去に特定のファイル名を付けた録画ファイルへ格納した録画データとを比較する録画データ比較手段と、
この録画データ比較手段によりほぼ同様の録画データが検出されたとき、新しく録画した録画データを管理するファイル名のヘッダ部を、過去に特定のファイル名を付けた録画ファイルと同じにしてファイル名を自動的に割り付けるファイル・フォルダ管理手段とを備えたものである。
【０００８】
また、この発明の録画データ処理方法は、新しく録画して得た録画データと、過去に特定のファイル名を付けた録画ファイルへ格納した録画データとを比較し、ほぼ同様の録画データが検出されたとき、新しく録画した録画データを管理するファイル名のヘッダ部を、過去に特定のファイル名を付けた録画ファイルと同じとしてその後に日付け又はバージョン情報を付与したファイル名を自動的に割り付けるようにしたものである。
【０００９】
また、上記録画データ比較手段は、新たな録画を開始してから一定の時間以内、あるいは録画時間内である決められた範囲内の録画データのみを比較対照とするように構成することが効果的である。
【００１０】
さらに、上記ファイル・フォルダ管理手段は、録画データ比較手段によりほぼ同様の録画データが検出されたとき、新しく録画した録画データを管理するファイル名のヘッダ部を、過去に特定のファイル名を付けた録画ファイルと同じにしてその後に日付け又はバージョン情報を付与したファイル名を自動的に割り付けるように構成することが好ましい。
【００１１】
また、新しく録画した録画データのファイルの保管場所を、過去に特定のファイル名を付けた録画ファイルと同じフォルダ内で、記憶順に並べて管理するように構成しすることが好ましい。
【００１２】
また、上記ファイル・フォルダ管理手段は、地上波デジタル放送番組の録画データの場合、電子番組ガイド（ＥＰＧ）データにもとづき、録画データのファイル名やファイル保管場所の特定をするように構成することもできる。
【００１３】
また、関連付けられた複数の録画ファイルにおける同一の録画部分を、この関連付けられた複数のファイルを格納するフォルダのアイコンとして用いることもできる。
【００１４】
【発明の実施の形態】
この発明の実施の形態を実施例にもとづき図面を参照して説明する。
図１は、この発明に係わる録画データ処理装置の概略構成を示すブロック図である。この実施の形態は、地上波デジタル放送の場合のＥＰＧ（電子番組ガイド：Ｅｌｅｃｔｒｉｃ　Ｐｒｏｇｒａｍ　Ｇｕｉｄｅ）に対応した録画データ処理装置と、ＥＰＧに対応しない録画データ処理装置の両方を想定して説明する。ＥＰＧに対応した録画データ処理装置の場合には、そのＥＰＧデータを利用して、録画データを管理するファイル名やファイル保存場所の特定を放送番組単位で正確に実施することができる。逆に、ＥＰＧに対応しない録画データ処理装置の場合は、製造コストを安価に抑えることができる。
【００１５】
このＥＰＧは、例えば、チャンネルと時間の二つをパラメータとし、横軸をチャンネルとし、縦軸を時間としたマトリックスで放送番組が一覧表示される。また、このＥＰＧは、チャンネル番号、番組名、放送開始時刻、および終了時刻などの情報が含まれている。つまり、このＥＰＧを参照することにより、どの番組がどのチャンネルのどの時間帯に放送されているかを把握することができ、また、急な番組のスケジュール変更にも対応できる。したがって、このＥＰＧデータを利用することにより、録画番組予約の設定や録画データの保管整理を行う上で極めて好都合である。
【００１６】
図１に示すように、この録画データ処理装置は、受信部１、記録部２、制御部３、表示分４、録画予約テーブル５、録画データ処理部６、録画データ比較部７、ファイル・フォルダ管理部８、操作部９、メニュー操作部１０を備えている。
【００１７】
ＥＰＧに対応した録画データ処理装置の場合、受信部１は、映像、音声およびＥＰＧデータを受信する。なお、ＥＰＧに対応しない録画データ処理装置の場合、受信部１は、映像および音声のみを受信する。記録部２は、例えば、ＨＤＤやＤＶＤなどの大容量の記憶媒体を備え、符号化された映像および音声データを記憶する。制御部３は、録画データ処理装置全体を制御する。表示部４は、複合化されたデータ、つまり、受信部１で受信された映像およびＥＰＧを表示する。操作部９は、チャンネル選局、録画、再生、あるいは録画データを管理するファイル名等のユーザーからの指示を受け付ける。メニュー操作部１０は、操作部９からの指示（カーソル等の選択等）を表示部４に表示された各種メニュー画面に対して反映させる。つまり、操作部９からの指示と表示部４に表された各種メニュー画面と対応させて、操作部９からの指示入力を受け付ける。
【００１８】
図１において、操作部９から放送番組の視聴の指示が出されると、この視聴の指示は、視聴・録画予約テーブル５を介して記録部２に出力される。記録部２は、この視聴の指示に対応して、テレビ信号を制御部３を経由して表示部４へ出力する。これにより、視聴の指示の対応して所望のチャンネル映像が表示部４に表示される。
【００１９】
また、図１において、例えば、操作部９を介してファイル名が明確な所定のコンテンツの再生が指示されると、この指示に対して制御部３は、ファイル・フォルダ管理部８に管理されている目的のコンテンツに対応した特定のファイル名の付いた録画ファイルを検索し、その録画ファイルに格納されている録画データ（映像および音声）を読み出し、複合化して、目的のコンテンツが表示部４に表示される。
【００２０】
さらに、操作部９を介して目的のチャンネルが選局され録画が指示されると、この指示に対応して、制御部３は、符号化された目的のチャンネルに対応した映像および音声データを記録部２に記録させる。これにより、目的の放送番組を記録することができる。この一連の録画操作にともなって、ＥＰＧに対応した録画データ処理装置の場合は、ＥＰＧデータを参照して、番組名、日付けなどのファイル名が自動的に割り付けられる。また、過去に同様な放送番組の録画データがある場合は、ファイルの保存場所も同じフォルダ内で記憶順に並べて格納される。
【００２１】
一方、ＥＰＧに対応しない録画データ処理装置の場合は、図２に示すように、新たに録画した録画データと、既に録画・保存されている録画データとを、録画データ比較部７で比較する。この録画データを比較する方法としては、全録画内容を比較して、その録画内容の類似性の確認をすることもできるが、この方法では時間がかかるため、新たに録画が始まってから一定の時間内（例えば、５秒以上で３０秒以内）のみを比較対照とすることによって、その処理に要する時間がかなり軽減される。この録画が始まってから一定の時間内のみを比較対照とした理由は、コンテンツの始まりに定型のオープニング画像データが含まれていることが多いことを利用するためである。
【００２２】
録画データ比較部７で比較した結果、例えば、図２の（Ｂ）録画データ内の一部の録画と、（Ｄ）新たに録画したデータ内の一部の画像のように、ほぼ同様の画像データが確認されたときは、（Ｃ）新たに録画・保存されたファイルで示すように、ファイル名のヘッダ部を同じとして、その後に日付け又はバージョン情報を付与したファイル名を自動的に割り付ける。また、ファイルの保存場所も、（Ｅ）フォルダで示すように、同じフォルダ内に記憶順に並べて格納する。このように、過去に特定のファイル名を付けた録画ファイルが存在し、その特定のファイルに格納されている録画データと、新たに録画した録画データとの間に、画像内容の類似性が認められる場合は、既に録画・保存されている録画データのファイル名と同じファイル名が自動的に付与され、管理される。
【００２３】
なお、図２の（Ｆ）アイコンで示したように、上記のように関連付けられたファイルにおける同一の画像部分を利用して、それらのファイルが格納されているフォルダのアイコンとして使用することによって、更に、ユーザーが直感的に、よりわかりやすく画像データの内容を識別することが可能となる。
【００２４】
【発明の効果】
この発明は、以上説明したように構成されているので、録画データのファイル名が直感的に判断することができ、ユーザーが希望する録画データの検索が容易となる。また、関連する録画データは、ファイルのヘッダ部に同じファイル名が自動的に割り付けられるとともに、同じフォルダ内に記憶された順に自動的に格納され、ユーザーの手を煩わせることなく録画データの整理が行われる。このことにより、録画データの要・不要の判断がしやすくなり、大容量の記憶媒体の効率的利用が可能となる。
【図面の簡単な説明】
【図１】この発明の係わる録画データ処理装置の概略構成を示すブロック図である。
【図２】図１の録画データ処理装置の動作説明図である。
【符号の説明】
１　　　受信部
２　　　記録部
３　　　制御部
４　　　表示部
５　　　視聴・録画予約テーブル
６　　　録画データ処理部
７　　　録画データ比較部
８　　　ファイル・フォルダ管理部
９　　　操作部
１０　　メニュー操作部
【図１】
2004064402.tif 000003
【図２】
2004064402.tif 000004